(57)【特許請求の範囲】
【請求項１】
画像を処理するための処理条件を設定する設定装置であって、
互いに異なる角度を有する複数の基準軸で形成される設定領域を表示部に表示させる表示制御部と、
ユーザによって指示される前記設定領域内の指示位置を特定する特定部と、
前記設定領域内の位置と、複数の前記処理条件のための複数の条件値と、の対応関係であって、前記複数の処理条件の数は前記複数の基準軸の数よりも多い、前記対応関係に基づいて、前記指示位置に対応する前記複数の条件値を設定する設定部と、
を備え、
前記表示制御部は、前記指示位置に対応する前記複数の条件値を示す条件領域、および前記条件領域において特定された条件値と特定されていない条件値とに対応する前記設定領域内におけるそれぞれの位置を区別可能に前記表示部に表示させ、
前記特定部は、前記条件領域において前記複数の条件値をそれぞれ特定可能であって、
前記設定部は、前記条件領域において指定された値を設定する、設定装置。
【請求項２】
請求項１に記載の設定装置において、
前記設定領域は複数の小領域に区分されており、一つの小領域には共通の複数の条件値が対応付けられている、設定装置。
【請求項３】
画像を処理するための処理条件を設定する設定装置であって、
互いに異なる角度を有する複数の基準軸で形成される設定領域を表示部に表示させる表示制御部と、
ユーザによって指示される前記設定領域内の指示位置を特定する特定部と、
前記設定領域内の位置と、複数の前記処理条件のための複数の条件値と、の対応関係であって、前記複数の処理条件の数は前記複数の基準軸の数よりも多い、前記対応関係に基づいて、前記指示位置に対応する前記複数の条件値を設定する設定部と、
を備え、
前記設定領域は複数の小領域に区分されており、一つの小領域には共通の複数の条件値が対応付けられている、設定装置。
【請求項４】
請求項３に記載の設定装置において、
前記表示制御部は、前記指示位置に対応する前記複数の条件値を示す前記条件領域を前記表示部に表示させる、設定装置。
【請求項５】
請求項１から請求項４のいずれか一項に記載の設定装置において、
前記特定部は、前記複数の処理条件のうちの一部か若しくは前記複数の処理条件とは別の特別処理条件の条件値を特定可能であって、
前記表示制御部は、前記特定部により特定された前記特別処理条件の条件値に対応する前記設定領域内における部分領域と、対応しない前記設定領域内における部分領域と、を区別可能に表示する、設定装置。
【請求項６】
画像を処理するための処理条件を設定する設定装置であって、
複数の処理条件のための複数の条件値を示す条件領域を表示部に表示させる第１の表示制御部と、
ユーザによって指定される前記条件領域内の前記複数の条件値の中から少なくとも一つの条件値を特定する特定部と、
互いに異なる角度を有する複数の基準軸で形成される設定領域を表示部に表示させ、前記特定された条件値と特定されていない条件値とに対応する前記設定領域内におけるそれぞれの位置を区別可能に表示する第２の表示制御部と、
前記設定領域内の位置と、複数の前記処理条件のための複数の条件値と、の対応関係であって、前記複数の処理条件の数は前記複数の基準軸の数よりも多い、前記対応関係に基づいて、前記複数の条件値を設定する設定部と、
を備える、設定装置。
【請求項７】
画像処理の処理条件を設定する画像処理装置であって、
請求項１から請求項６のいずれか一項に記載の設定装置と、
前記設定された処理条件の値に従って画像処理を行う画像処理部と、
を備える、画像処理装置。
【請求項８】
表示部に接続されたコンピュータに画像を処理するための処理条件を設定させるプログラムであって、
前記コンピュータに、
互いに異なる角度を有する複数の基準軸で形成される設定領域を前記表示部に表示させる表示制御処理と、
ユーザによって指示される前記設定領域内における指示位置を特定する特定処理と、
前記設定領域内の位置と、複数の前記処理条件のための複数の条件値と、の対応関係であって、前記複数の処理条件の数は前記複数の基準軸の数よりも多い、前記対応関係に基づいて、前記指示位置に対応する前記複数の条件値を設定する設定処理と、
を実行させ、
前記表示制御処理では、前記指示位置に対応する前記複数の条件値を示す条件領域、および前記条件領域において特定された条件値と特定されていない条件値とに対応する前記設定領域内におけるそれぞれの位置を区別可能に前記表示部に表示させ、
前記特定処理では、前記条件領域において前記複数の条件値をそれぞれ特定可能であって、
前記設定処理では、前記条件領域において指定された値を設定する、プログラム。
【請求項９】
表示部に接続されたコンピュータに画像を処理するための処理条件を設定させるプログラムであって、
前記コンピュータに、
互いに異なる角度を有する複数の基準軸で形成される設定領域を前記表示部に表示させる表示制御処理と、
ユーザによって指示される前記設定領域内における指示位置を特定する特定処理と、
前記設定領域内の位置と、複数の前記処理条件のための複数の条件値と、の対応関係であって、前記複数の処理条件の数は前記複数の基準軸の数よりも多い、前記対応関係に基づいて、前記指示位置に対応する前記複数の条件値を設定する設定処理と、
を実行させ、
前記設定領域は複数の小領域に区分されており、一つの小領域には共通の複数の条件値が対応付けられている、プログラム。
【請求項１０】
表示部に接続されたコンピュータに画像を処理するための処理条件を設定させるプログラムであって、
前記コンピュータに、
複数の処理条件のための複数の条件値を示す条件領域を表示部に表示させる第１の表示制御処理と、
ユーザによって指定される前記条件領域内の前記複数の条件値の中から少なくとも一つの条件値を特定する特定処理と、
互いに異なる角度を有する複数の基準軸で形成される設定領域を前記表示部に表示させ、前記特定された条件値と特定されていない条件値とに対応する前記設定領域内におけるそれぞれの位置を区別可能に表示する第２の表示制御処理と、
前記設定領域内の位置と、複数の前記処理条件のための複数の条件値と、の対応関係であって、前記複数の処理条件の数は前記複数の基準軸の数よりも多い、前記対応関係に基づいて、前記複数の条件値を設定する設定処理と、
を実行させる、プログラム。
【発明の詳細な説明】
【技術分野】
【０００１】
本発明は、画像処理に関する設定を行うための技術に関する。
【背景技術】
【０００２】
従来より、プリンタやスキャナ等の画像処理装置に接続されたコンピュータにおいて、ユーザがディスプレイに表示される設定画面を用いて印刷やスキャン等の画像処理の処理条件に関する設定を行う構成が知られている。また、ユーザが画像処理装置本体に設けられたディスプレイに表示される設定画面を用いて画像処理の設定を行う構成なども知られている。
【先行技術文献】
【特許文献】
【０００３】
【特許文献１】特開２００２−１８２８７１号公報
【発明の概要】
【発明が解決しようとする課題】
【０００４】
近年では、画像処理に関する機能の増加や高度化が進み、それに伴って設定作業が複雑で難しくなってきている。例えば、ユーザが目的に沿った結果を得るために、設定画面においてどの処理条件をどのような値に設定すればよいかを把握しづらい場合がある。
【０００５】
本発明は上記のような事情に基づいて完成されたものであって、ユーザが画像処理に関する設定作業を容易に行うことを目的とする。
【課題を解決するための手段】
【０００６】
上記の目的を達成するための手段として、第１の発明に係る設定装置は、画像を処理するための処理条件を設定する設定装置であって、互いに異なる角度を有する複数の基準軸で形成される設定領域を表示部に表示させる表示制御部と、ユーザによって指示される前記設定領域内の指示位置を特定する特定部と、前記設定領域内の位置と、複数の前記処理条件のための複数の条件値と、の対応関係であって、前記複数の処理条件の数は前記複数の基準軸の数よりも多い、前記対応関係に基づいて、前記指示位置に対応する前記複数の条件値を設定する設定部と、を備える。
【０００７】
第１の発明によれば、複数の基準軸を有する設定領域を表示させ、複数の基準軸に対する位置を複数の条件値に対応付けすることで、ユーザが設定内容を直感的に把握することができる。また、ユーザによって指示される設定領域内の指示位置を特定することで、複数の基準軸の数よりも多い複数の処理条件の条件値が設定されるため、設定作業を容易に行うことができる。
【０００８】
第２の発明は、第１の発明の設定装置において、前記表示制御部は、前記指示位置に対応する前記複数の条件値を示す条件領域を前記表示部に表示させる。
【０００９】
第２の発明によれば、ユーザが設定された複数の条件値を把握することができる。
【００１０】
第３の発明は、第２の発明の設定装置において、前記特定部は、前記条件領域において前記複数の条件値をそれぞれ特定可能であって、前記表示制御部は、前記条件領域において特定された条件値と特定されていない条件値とに対応する前記設定領域内におけるそれぞれの位置を区別可能に表示し、前記設定部は、前記条件領域において指定された値を設定する。
【００１１】
第３の発明によれば、条件領域においてユーザが複数の条件値を個別に指定することができる。また、条件領域において特定された条件値に対応する設定領域内における位置が特定されていない位置と区別可能に表示されるため、ユーザが設定内容を直感的に把握することができる。
【００１２】
第４の発明は、第１から第３のいずれか一つの発明の設定装置において、前記特定部は、前記複数の処理条件のうちの一部か若しくは前記複数の処理条件とは別の特別処理条件の条件値を特定可能であって、前記表示制御部は、前記特定部により特定された前記特別処理条件の条件値に対応する前記設定領域内における部分領域と、対応しない前記設定領域内における部分領域と、を区別可能に表示する。
【００１３】
第４の発明によれば、ユーザが指定した特別処理条件の条件値に対応しない設定領域内における部分領域を把握できるため、不適切な条件値が設定されるのを回避できる。
【００１４】
第５の発明は、第１から第４のいずれか一つの発明の設定装置において、前記設定領域は複数の小領域に区分されており、一つの小領域には共通の複数の条件値が対応付けられている。
【００１５】
第５の発明によれば、ユーザが設定領域内における位置と設定される条件値との関係を把握しやすい。
【００１６】
第６の発明は、画像を処理するための処理条件を設定する設定装置であって、複数の処理条件のための複数の条件値をそれぞれ特定する特定部と、互いに異なる角度を有する複数の基準軸で形成される設定領域を表示部に表示させ、前記特定された条件値と特定されていない条件値とに対応する前記設定領域内におけるそれぞれの位置を区別可能に表示する表示制御部と、前記設定領域内の位置と、複数の前記処理条件のための複数の条件値と、の対応関係であって、前記複数の処理条件の数は前記複数の基準軸の数よりも多い、前記対応関係に基づいて、前記複数の条件値を設定する設定部と、を備える。
【００１７】
第６の発明によれば、ユーザが指定した条件値に対応する位置が設定領域内において表示されるため、ユーザが設定内容を直感的に把握することができる。従って、設定作業を容易に行うことができる。
【００１８】
第７の発明は、画像処理の処理条件を設定する画像処理装置であって、第１から第６のいずれか一つの発明の設定装置と、前記設定された処理条件の値に従って画像処理を行う画像処理部と、を備える、画像処理装置。
【００１９】
第７の発明によれば、設定装置を備えた画像処理装置において、設定作業を容易に行うことができる。
【００２０】
なお、この発明は、設定装置、設定方法、画像処理装置、画像処理方法、これらの方法または装置の機能を実現するためのプログラム、そのプログラムを記録した記録媒体等の種々の態様で実現することができる。
【図面の簡単な説明】
【００２１】
【図１】実施形態１におけるプリンタとコンピュータの概略構成を示すブロック図
【図２】印刷指示処理のフローチャート
【図３】印刷指示画面を示す図
【図４】印刷設定処理のフローチャート
【図５】印刷設定画面を示す図
【図６】設定領域における小領域と印刷条件の値との対応関係を示す表
【図７】実施形態２における印刷設定処理のフローチャート
【図８】印刷設定画面を示す図
【発明を実施するための形態】
【００２２】
＜実施形態１＞
次に本発明の実施形態１について図１から図６を参照して説明する。
図１は、プリンタ１０と、このプリンタ１０と接続されたコンピュータ２０の概略構成を示すブロック図である。
【００２３】
プリンタ１０は、ＣＰＵ１１、ＲＯＭ１２、ＲＡＭ１３、ＮＶＲＡＭ（不揮発性メモリ）１４、ネットワークインターフェイス１５を備えている。ＲＯＭ１２には、このプリンタ１０の各種の動作を実行するためのプログラムが記憶されている。ＣＰＵ１１は、ＲＯＭ１２から読み出したプログラムに従って、その処理結果をＲＡＭ１３またはＮＶＲＡＭ１４に記憶させながら各部の制御を行う。ネットワークインターフェイス１５は、ＬＡＮなどの通信回線３０に接続されている。
【００２４】
また、プリンタ１０は、印刷部１６、表示部１７及び操作部１８を備えている。印刷部１６は、例えばインクジェット方式や電子写真方式などにより、１色または複数色の着色剤（インクやトナー等）を用いてシート（用紙、プラスチックシート等）上に画像を印刷（画像を処理するの一例）する。表示部１７は、ディスプレイやランプ等を備え、各種の設定画面や装置の動作状態等を表示することが可能である。操作部１８は、複数のボタンを備え、ユーザが各種の指示を入力することが可能である。
【００２５】
コンピュータ２０（設定装置の一例）は、ＣＰＵ２１、ＲＯＭ２２、ＲＡＭ２３、ＨＤＤ（ハードディスクドライブ）２４、操作部２５、表示部２６、ネットワークインターフェイス２７を備えている。
【００２６】
ＲＯＭ２２には、ＢＩＯＳ等のプログラムが記憶されている。ＨＤＤ２４には、ＯＳや、印刷用の画像データを作成可能なアプリケーションソフト、プリンタ１０により印刷を行うための処理条件の設定等を行うプリンタドライバ（本発明のプログラムの一例）などの各種プログラムが記憶されている。ＣＰＵ２１（特定部、表示制御部、設定部の一例）は、ＲＯＭ２２またはＨＤＤ２４から読み出したプログラムに従って、その処理結果をＲＡＭ２３やＨＤＤ２４に記憶させながら、コンピュータ２０の動作を制御する。
【００２７】
操作部２５は、キーボードやポインティングデバイスを備えており、ユーザが操作部２５を用いてＣＰＵ２１に対する各種の指示を入力することができる。表示部２６は、ディスプレイを備え、ＣＰＵ２１の制御により様々な映像を表示する。ネットワークインターフェイス２７は、既述の通信回線３０に接続され、これによりコンピュータ２０とプリンタ１０との間で通信が可能となっている。
【００２８】
（印刷指示処理）
次にプリンタ１０に対しコンピュータ２０から印刷の実行を指示する際に実行される印刷指示処理について説明する。図２は、印刷指示処理のフローチャートであり、図３は、印刷指示画面Ｍ１を示す図である。
【００２９】
コンピュータ２０において、ユーザが印刷用の画像データを生成可能なアプリケーションソフトを起動させ、操作部２５より印刷の指示を入力すると、ＣＰＵ２１は、図２に示す印刷指示処理を実行する。
【００３０】
ＣＰＵ２１は、印刷指示処理を開始すると、まず図３に示すような印刷指示画面Ｍ１を表示部２６に表示させる（Ｓ１０１）。この印刷指示画面Ｍ１は、プリンタ選択部４０、印刷設定ボタン４１、ＯＫボタン４２、キャンセルボタン４３を備えている。
【００３１】
ＣＰＵ２１は、プリンタ選択部４０が操作部２５によりクリックされると、登録されたプリンタ名をリスト表示させる。ユーザは、操作部２５を用いてリスト表示されたプリンタ名の中から一つを使用プリンタとして選択することができる。
【００３２】
ＣＰＵ２１は、印刷指示画面Ｍ１において印刷設定ボタン４１が押下された場合（Ｓ１０２：ＹＥＳ）には、プリンタ選択部４０で選択されているプリンタ名に対応するプリンタドライバを起動し、印刷設定処理を実行する（Ｓ１０３）。この印刷設定処理では、後述するように、ユーザの指示により様々な印刷条件（処理条件の一例）の条件値を設定する。
【００３３】
ＣＰＵ２１は、Ｓ１０２にて印刷設定ボタン４１が押下されていない場合（Ｓ１０２：ＮＯ）、または、Ｓ１０３にて印刷指示処理を終了した場合には、ＯＫボタン４２が押下されたかを判断する（Ｓ１０４）。
【００３４】
ＣＰＵ２１は、ＯＫボタン４２が押下された場合（Ｓ１０４：ＹＥＳ）には、Ｓ１０３の印刷設定処理において設定された印刷条件の条件値を読み込み、さらにアプリケーションから印刷対象の画像データを読み込む。そして、読み込んだ印刷条件の条件値と画像データとに基づいてＰＤＬ（ページ記述言語）等の印刷データを生成し、その印刷データをネットワークインターフェイス２７を介してプリンタ１０に送信する（Ｓ１０５）。
【００３５】
なお、Ｓ１０３の印刷設定処理が実行されていない状態でＯＫボタン４２が押下された場合には、既定の条件値や以前の印刷設定処理で設定された条件値などを印刷条件の設定値として用いる。
【００３６】
ＣＰＵ２１は、印刷データを送信した後、印刷指示処理を終了する。
プリンタ１０のＣＰＵ１１は、ネットワークインターフェイス１５を介して印刷データを受信すると、その印刷データに基づいて印刷部１６によって印刷を行う。
【００３７】
また、コンピュータ２０のＣＰＵ２１は、Ｓ１０４にてＯＫボタン４２が押下されない場合（Ｓ１０４：ＮＯ）には、キャンセルボタン４３が押下されたかを判断する（Ｓ１０６）。そして、キャンセルボタン４３が押下されない場合（Ｓ１０６：ＮＯ）には、Ｓ１０２からの処理を繰り返し、操作部２５からの入力を待機する。キャンセルボタン４３が押下された場合（Ｓ１０６：ＹＥＳ）には、この印刷指示処理を終了する。
【００３８】
（印刷設定処理）
次に印刷条件の条件値を設定するための印刷設定処理について説明する。
図４は、印刷設定処理のフローチャートであり、図５は、印刷設定画面Ｍ２を示す図である。
【００３９】
ＣＰＵ２１は、図４に示す印刷設定処理を開始すると、まず図５に示すような印刷設定画面Ｍ２を表示部２６に表示させる（Ｓ２０１）。この印刷設定画面Ｍ２は、設定領域５１、条件領域５２、ＯＫボタン５３、キャンセルボタン５４を備えている。
【００４０】
設定領域５１は、全体として円形をなしており、その設定領域５１を横切るように３つの基準軸５７Ａ，５７Ｂ，５７Ｃ（破線の矢印で示す）が配置されている。これらの基準軸５７Ａ〜５７Ｃは、互いに１２０度の角度をなし、設定領域５１の中央において互いに交わる。
【００４１】
各基準軸５７Ａ〜５７Ｃは、印刷を指示するユーザの目的や要求、若しくは印刷処理の特性などを示す指標である。この例では、基準軸５７Ａは、写真のように細密な画像の品質を優先する度合を示し、基準軸５７Ｂは、文字やグラフ等の図形の画質を優先する度合を示し、基準軸５７Ｃは、インク（トナー）の消費などのコストの抑制を優先する度合を示している。設定領域５１には、ユーザが各基準軸５７Ａ〜５７Ｃの意味合いを把握できるように、基準軸５７Ａ〜５７Ｃを示す矢印の先端側付近にそれぞれ「写真優先」、「文字グラフ優先」、「コスト優先」と表記されている。
【００４２】
設定領域５１上の位置は、複数の印刷条件の条件値に対応付けられており、基準軸５７Ａ〜５７Ｃとの関係からどのような傾向の条件値に対応付けられるかが定められている。基準軸５７Ａ〜５７Ｃは、一種の座標軸ともいうことができる。即ち、ある一つの基準軸５７Ａ〜５７Ｃに対して正方向（矢線方向）にある位置ほど、その基準軸５７Ａ〜５７Ｃが示す傾向が強くなるような印刷条件の条件値が対応付けられ、逆方向にある位置ほど、その傾向が弱くなるような条件値が対応付けられている。
【００４３】
また、設定領域５１は、１３個の小領域Ａ１〜Ａ１３に区分されている。各小領域Ａ１〜Ａ１３内の位置は、いずれも対応付けされる印刷条件の条件値が同じであり、別の小領域Ａ１〜Ａ１３内の位置は、互いに異なる印刷条件の条件値に対応付けされている。
【００４４】
図６は、設定領域５１における小領域Ａ１〜Ａ１３と印刷条件の条件値との対応関係を示す表であり、この表はＨＤＤ２４に記憶されている。この例では、設定領域５１における位置が「色再現」、「グレー再現」、「印刷解像度」、「色の濃さ」、「印刷速度」の５つの印刷条件の条件値に対応付けされている。
【００４５】
例えば小領域Ａ９は、基準軸５７Ａに対し正方向の端部寄りの位置にあり、写真等を印刷した場合に最も高い品質が得られるような印刷条件の条件値（の組み合わせ）に対応付けられている。例えば、印刷条件の条件値の一つである印刷解像度は「低い」「普通」「高い」の３つの条件値のいずれかを設定することができ、小領域Ａ９はこのうち「高い」に対応付けされている。
【００４６】
また、小領域Ａ１０は、基準軸５７Ａと基準軸５７Ｂに対し正方向の端部寄りの位置にあるため、写真等と文字・図形等との両方について比較的高い品質が得られるような印刷条件の条件値が対応付けられている。一方でこの小領域Ａ１０は、基準軸５７Ｃに対しては負方向の端部にあり、比較的コストがかかり易い印刷条件の条件値と対応付けられている。例えば、印刷条件の条件値の一つである色の濃さは「薄い」「普通」「濃い」の３つの条件値のいずれかを設定することができ、小領域Ａ１０はこのうち「濃い」の条件値に対応付けされている。
【００４７】
そして、小領域Ａ４，Ａ１は、色の濃さが「普通」の条件値に対応付けられ、小領域Ａ７，Ａ３は、色の濃さが「薄い」の条件値に対応付けられている。このように、コスト優先の基準軸５７Ｃに対し正方向にある位置ほど、コストを抑制しやすい印刷条件の条件値が対応付けられている。
【００４８】
設定領域５１では、ユーザが操作部２５を用いてポインタ５８をいずれかの一つの小領域Ａ１〜Ａ１３に合わせてクリックすることで、その小領域Ａ１〜Ａ１３を指定することができる。ＣＰＵ２１は、指定された小領域Ａ１〜Ａ１３を選択状態として他の小領域Ａ１〜Ａ１３と異なる色などで区別して表示させる。図５では、小領域Ａ９を選択状態として表示している。
【００４９】
一方、条件領域５２には、上述の設定領域５１上の位置に対応付けされた５つの印刷条件について、各印刷条件で選択可能な条件値がそれぞれアイコン画像５９とともに表示される。条件領域５２では、各印刷条件について選択可能な条件値のうちの一つを選択状態として他の条件値と区別して表示することができる。図５では、選択状態の条件値のアイコン画像５９に太枠を付けて表示している。
【００５０】
また、条件領域５２では、ユーザが操作部２５を用いてポインタ５８に選択状態でない条件値のアイコン画像５９に合わせてクリックすることで、その条件値を指定することができる。ＣＰＵ２１は、指定された条件値を選択状態として表示させる。
【００５１】
なお、ＣＰＵ２１は、Ｓ２０１にて印刷設定画面Ｍ２を表示させた際に、前回の印刷設定処理で設定された条件値やあるいは既定の条件値などを、条件領域５２上において選択状態で表示させるとともに、設定領域５１上においてその条件値に対応する小領域Ａ１〜Ａ１３を選択状態で表示させる。
【００５２】
さて、ＣＰＵ２１は、図４のＳ２０１にて印刷設定画面Ｍ２を表示させた後、ユーザにより、設定領域５１上において選択状態でない小領域Ａ１〜Ａ１３が指定されたかを判断する（Ｓ２０２）。そしてＣＰＵ２１は、小領域Ａ１〜Ａ１３が指定された場合（Ｓ２０２：ＹＥＳ）には、指定された設定領域５１上の小領域Ａ１〜Ａ１３（位置）を特定し、特定された小領域Ａ１〜Ａ１３に対応する条件値を図６の表から取得し、それらの条件値を条件領域５２において選択状態で表示させる（Ｓ２０３）。これにより、ユーザは、設定領域５１において指定した位置（指示位置の一例）に対応する印刷条件の条件値を把握することができる。
【００５３】
ＣＰＵ２１は、Ｓ２０２にて設定領域５１が指定されていない場合（Ｓ２０２：ＮＯ）、またはＳ２０３にて条件領域に条件値を表示した場合には、条件領域５２において印刷条件の条件値が指定されたかを判断する（Ｓ２０４）。そしてＣＰＵ２１は、印刷条件の条件値が指定された場合（Ｓ２０４：ＹＥＳ）には、指定された条件値を特定し、特定された条件値に対応する小領域Ａ１〜Ａ１３（位置）を図６の表から取得し、その小領域Ａ１〜Ａ１３を設定領域５１上において選択状態で表示させる（Ｓ２０５）。
【００５４】
例えば、図５に示すように、小領域Ａ９と、その小領域Ａ９に対応する印刷条件の各条件値とが選択状態で表示された状態において、条件領域５２の色再現の条件値が「ナチュラル」から「ビビッド」に変更された場合には、変更後の印刷条件の条件値の組み合わせに対応する小領域Ａ１０を選択状態で表示させ、小領域Ａ９の選択状態を解除させる。これにより、ユーザは、設定領域５１の表示に基づいて指定した印刷条件の条件値の組み合わせがどのような傾向を有するかを把握することができる。
【００５５】
なお、条件領域５２において指定された条件値の組み合わせに対応する小領域が存在しない場合には、指定された条件値の組み合わせに近い条件値の組み合わせに対応付けされた小領域Ａ１〜Ａ１３を一つ選び、その小領域Ａ１〜Ａ１３を選択状態で表示しても良い。また、この場合には、全ての小領域Ａ１〜Ａ１３の選択状態の表示を解除しても良く、あるいは、条件領域５２においてそのような条件値を指定できなくしても良い。
【００５６】
ＣＰＵ２１は、Ｓ２０４にて条件領域５２において条件値が指定されていない場合（Ｓ２０４：ＮＯ）、またはＳ２０５にて小領域Ａ１〜Ａ１３を選択状態で表示した場合には、ＯＫボタン５３が押下されたかを判断する（Ｓ２０６）。そして、ＯＫボタン５３が押下された場合（Ｓ２０６：ＹＥＳ）には、選択状態にある各印刷条件の条件値を確定された設定値としてＲＡＭ２３に記憶する（Ｓ２０７）。その後、ＣＰＵ２１は、この印刷設定処理を終了し、既述の図２の処理により、ＯＫボタン５３が押下された場合に、設定値に基づいて印刷データを生成してプリンタ１０に送信する。
【００５７】
また、ＣＰＵ２１は、Ｓ２０６にてＯＫボタン５３が押下されない場合（Ｓ２０６：ＮＯ）には、キャンセルボタン５４が押下されたかを判断する（Ｓ２０８）。そして、キャンセルボタン５４が押下されない場合（Ｓ２０８：ＮＯ）には、Ｓ２０２に戻ってユーザによる次の操作の入力を待機する。また、キャンセルボタン５４が押下された場合（Ｓ２０８：ＹＥＳ）には、設定値を確定せずにこの印刷設定処理を終了する。
【００５８】
（本実施形態の効果）
以上のように本実施形態によれば、複数の基準軸５７Ａ〜５７Ｃを有する設定領域５１を表示させ、複数の基準軸５７Ａ〜５７Ｃに対する位置を複数の印刷条件の条件値に対応付けすることで、ユーザが設定内容を直感的に把握することができる。また、ユーザによって指示される設定領域５１内の位置を特定することで、複数の基準軸５７Ａ〜５７Ｃの数よりも多い複数の印刷条件の条件値が設定されるため、ユーザが設定作業を容易に行うことができる。
【００５９】
また、設定領域５１において特定された条件値に対応する複数の印刷条件の条件値を示す条件領域５２を表示部２６に表示させる。これにより、ユーザが設定された複数の条件値を把握することができる。
【００６０】
また、条件領域５２においてユーザが複数の印刷条件の条件値を個別に指定することができる。また、条件領域５２において特定された条件値に対応する設定領域５１内における位置が特定されていない位置と区別可能に表示されるため、ユーザが設定内容を直感的に把握することができる。
【００６１】
また、設定領域５１は複数の小領域Ａ１〜Ａ１３に区分されており、一つの小領域Ａ１〜Ａ１３には共通の複数の印刷条件の条件値が対応付けられている。これにより、ユーザが設定領域５１内における位置と設定される条件値との関係を把握しやすい。
【００６２】
＜実施形態２＞
次に本発明の実施形態２について図７及び図８を参照して説明する。
図７は、印刷設定処理のフローチャートであり、図８は、印刷設定画面Ｍ３を示す図である。なお、プリンタ１０及びコンピュータ２０の構成は、図１と同様であり、説明を省略する。また図７，図８では、それぞれ図４，図５と同様の処理、同様の構成には同一の符号を付し、重複する説明を省略する。
【００６３】
ＣＰＵ２１は、印刷設定処理を開始すると、図８に示す印刷設定画面Ｍ３を表示部２６に表示させる（Ｓ２０１）。この印刷設定画面Ｍ３は、設定領域６１、条件領域５２、ＯＫボタン５３、キャンセルボタン５４に加え、特別条件指定部６２を備えている。
【００６４】
設定領域６１は、図５の設定領域５１と同様に、全体として円形をなすとともに、３本の基準軸５７Ａ〜５７Ｃを有しており、設定領域６１上の位置が複数の印刷条件の条件値に対応付けられている。本例では、設定領域６１上の位置と印刷条件の条件値とが図６の表と同様の関係で対応付けされるとする。但し、設定領域６１は、図５の設定領域５１とは異なり、小領域Ａ１〜Ａ１３に区分して表示されていない。
【００６５】
ユーザは、操作部２５を用いてポインタ５８を設定領域６１上の位置に合わせてクリックすることで位置を指定することができる。ＣＰＵ２１は、設定領域６１上で位置が指定されると、その位置に円形のマーク６３を表示させる。
【００６６】
特別条件指定部６２では、図６に示した印刷条件とは別の特別印刷条件（特別処理条件の一例）の条件値を指定することができる。この例では、特別印刷条件として、使用する用紙の種類を「普通紙」「光沢紙」「インクジェット紙」「ＯＨＰシート」の条件値の中から選択することができる。これらの条件値は、それぞれ設定領域６１上で対応する部分領域と非対応の部分領域とが定められている。
【００６７】
例えば、「普通紙」の条件値は、部分領域６５（小領域Ａ２，Ａ３，Ａ８，Ａ９に相当）に非対応であり、その他の部分領域６６（小領域Ａ１，Ａ４〜Ａ７，Ａ１０〜Ａ１３に相当）に対応している。非対応の部分領域６５は、基準軸５７Ａに対し正方向の比較的端部寄りに位置しており、これは、普通紙を使用した場合には他の光沢紙等を使用した場合に比べて写真等の品質を確保しにくいことに基づいている。
【００６８】
ＣＰＵ２１は、Ｓ２０１において印刷設定画面Ｍ３を表示した後、特別印刷条件の条件値が指定されたかを判断する（Ｓ３０１）。そして、特別印刷条件の条件値が指定された場合（Ｓ３０１：ＹＥＳ）には、その条件値を特定し、設定領域６１において、特定された条件値に非対応の部分領域６５と対応する部分領域６６とを区別して表示（制限表示）させる（Ｓ３０２）。
【００６９】
ＣＰＵ２１は、この非対応の部分領域６５については、ポインタ５８による指定を受け付けない。従って、特別印刷条件の条件値と対応しないような印刷条件の条件値が誤って設定されることが回避される。なお、非対応の部分領域６５を対応する部分領域６６と区別して表示すれば、非対応の部分領域６５を指定できるようにすることもできる。
【００７０】
次にＣＰＵ２１は、設定領域６１においてポインタ５８により位置が指定された場合（Ｓ２０２：ＹＥＳ）には、指定された位置を特定し、その位置にマーク６３を表示させ、さらにその位置に対応する条件値を図６の表から取得し、条件領域５２において選択状態で表示させる（Ｓ２０３）。
【００７１】
また、ＣＰＵ２１は、条件領域５２において条件値が指定された場合（Ｓ２０４：ＹＥＳ）には、指定された条件値を特定し、特定された条件値に対応する位置（小領域Ａ１〜Ａ１３）を図５の表から取得し、その位置（対応する小領域Ａ１〜Ａ１３の中央位置）にマーク６３を表示させる（Ｓ２０５）。
【００７２】
例えば、図８に示すように、設定領域６１においてマーク６３Ａの位置が指定されており、条件領域５２においてマーク６３Ａに対応する印刷条件の各条件値が選択状態で表示された状態において、条件領域５２の印刷解像度の条件値が「低い」から「普通」に変更された場合、変更後の印刷条件の条件値の組み合わせに対応する位置にマーク６３Ｂを表示させ、現在のマーク６３Ａを消去する。
【００７３】
その後、ＣＰＵ２１は、Ｓ２０６及びＳ２０８にてＯＫボタン５３又はキャンセルボタン５４が押下されたか否かを判断し、選択状態にある各印刷条件の条件値を確定された設定値としてＲＡＭ２３に記憶し（Ｓ２０７）印刷設定処理を終了する、設定値を確定せずにこの印刷設定処理を終了する、又はＳ２０２に戻ってユーザによる次の操作の入力を待機する、のいずれかを実行する。
【００７４】
以上のように本実施形態によれば、特別印刷条件の条件値に対応する設定領域５１内における部分領域６６と、対応しない部分領域６５と、を区別可能に表示する。これにより、ユーザが指定した特別処理条件の条件値に対応しない設定領域６１内における部分領域６６を把握できるため、不適切な印刷条件の条件値が設定されるのを回避できる。
【００７５】
＜他の実施形態＞
本発明は上記記述及び図面によって説明した実施形態に限定されるものではなく、例えば次のような実施形態も本発明の技術的範囲に含まれる。
【００７６】
（１）上記実施形態では、画像処理として印刷条件の設定を行うものを示したが、本発明は、画像処理として、例えばスキャンの読取条件、コピーの複写条件、ファクシミリ送信の読取条件や通信条件、（デジタルカメラの）画像撮影の撮影条件や撮影画像の保存条件などの処理条件の設定を行うものにも適用することができる。
【００７７】
また、上記実施形態では、設定装置としてコンピュータで設定を行うものを示したが、本発明は、例えば設定装置として、例えば、スキャナ、コピー機、ファクシミリ、複合機、デジタルカメラ等の画像処理を行う機能を備えた様々な画像処理装置において設定を行うものにも適用することができる。
【００７８】
例えば、本発明は、図１に示すプリンタ１０（設定装置、画像処理装置の一例）に適用することができる。例えばＣＰＵ１１（特定部、表示制御部、設定部の一例）がＲＯＭ１２に記憶されたプログラムに従って図４の印刷設定処理を実行する。そして、ＣＰＵ１１が、図５の印刷設定画面Ｍ２を表示部１７に表示させ、操作部１８から入力されるユーザの指示に従って印刷条件の設定を行い、設定された印刷条件に従って印刷部１６により印刷を行う。
【００７９】
（２）上記実施形態では、設定装置が表示部を備えるものを示したが、本発明によれば、表示部として、設定装置（画像処理装置）に接続された外部のモニタ等を用いることができる。
【００８０】
（３）処理条件や条件値の内容は、上述のものに限らず、適宜変更することができる。また、上記実施形態では、印刷条件を３つの条件値のうちから選択可能なものを示したが、２つの条件値や４つ以上の条件値から選択可能としても良い。また、印刷条件の条件値は、数量などとしても良い。この場合、例えば、印刷条件の条件値を０．０〜１０．０の間で変更可能とし、設定領域上において指定されたある基準軸に対する位置に応じて、数値を０．１単位で変化させる等のようにしても良い。
【００８１】
（４）上記実施形態では、設定領域において位置が指定されると、条件領域において対応する条件値を表示し、逆に条件領域において条件値が指定されると、設定領域において対応する位置を表示するものを示したが、本発明によれば、設定領域において位置が指定されたときに、条件値を表示する条件領域を表示しなくても良く、また、条件領域上で条件値を指定できなくしても良い。さらに、本発明によれば、条件領域において条件値が指定された場合に設定領域において対応する位置を表示するが、設定領域上で条件値を指定できないようにしても良い。
【００８２】
（５）本発明によれば、条件領域以外で印刷条件の条件値を指定できるようにしても良い。例えば、ワンクリックアイコンやお気に入りの設定を複数の印刷条件の条件値と対応付けて登録しておき、ユーザがその設定を選択したときに、対応付けられた印刷条件の条件値に対応する位置を設定領域上に表示させるようにしても良い。
【００８３】
（６）上記実施形態では、条件領域において、各処理条件について選択可能な条件値を文字とアイコン画像とで示したが、本発明によれば、文字とアイコン画像とのうち一方のみで示しても良い。また、選択（指定）された条件値のみを示しても良い。また、設定領域と条件領域とを別の画面とし、例えば、設定領域において位置が指定されたときに、ポップアップ画面で対応する条件値を表示するようにしても良い。
【００８４】
（７）上記実施形態では、設定領域上の位置または処理条件の条件値を選択した後、ＯＫボタンを押下することで選択された条件値に基づいて設定が行われるが、設定領域上の位置または処理条件の条件値が選択された場合に即座に設定を行っても良い。
【００８５】
（８）上記実施形態では、設定領域が円形のものを示したが、設定領域の形状は、四角形、その他の多角形など、適宜変更することができる。また、基準軸の本数は、２本としても良く、また４本以上としても良い。また、基準軸同士のなす角度や、基準軸の配置は適宜変更することができる。例えば、３本の基準軸を三角形に配置し、設定領域を三角グラフ状に構成しても良く、また、４本の基準軸を十字に配置しても良い。また、各基準軸が示す内容は、上述のものに限らず、適宜変更することができる。また、また設定領域の形状を変更することにより、小領域の数や形状も、上述のものに限らず、適宜変更することができる。
【００８６】
尚、例えば、図５における小領域Ａ４，Ａ１０、及び小領域Ａ７，Ａ１３を組み合わせてそれぞれ一つの小領域とし、その他の小領域Ａ１〜３，Ａ５，Ａ６，Ａ８，Ａ９，Ａ１１，Ａ１２はそのままの形にすることで、特定の基準軸（上記例であれば、基準軸５７Ｃのコストの抑制を優先する度合いを示す指標）に対して荒い設定を可能としても良い。また逆に、特定の小領域のみを更に細かく区切ることで、特定の領域のみ細かい設定を可能としても良い。
【００８７】
（９）上記実施形態では、基準軸を矢線で示したが、おおよその軸の位置と方向性が了解できるように表示すれば良く、例えば設定領域の色に対して色分けして表示しても良く、また、文字や記号で示しても良い。
【００８８】
（１０）上記実施形態では、設定領域上の位置に対応する処理条件の数が５つのものを示したが、それ以外の数としても良い。但し、位置を基準軸の数よりも多い処理条件に対応付けすることで、より多数の印刷条件を設定領域上の位置として示すことができる。
【００８９】
（１１）設定画面上のポインタ（カーソル）の操作は、ポインティングデバイスのみならず、例えばキーボードの十字キーなどで行っても良い。また、ポインタを設定領域の色に対する補色など、色差の大きい色で表示することで、ユーザがポインタを見つけ易くすることができる。
【００９０】
（１２）設定画面には、設定領域、あるいは条件領域において設定される処理条件以外の処理条件について設定するための部位を適宜設けることができる。
【００９１】
（１３）上記実施形態では、特別処理条件が、設定領域または条件領域において設定される印刷条件とは別のものを示したが、本発明によれば、特別処理条件は、設定領域または条件領域において設定される印刷条件と共通の処理条件としても良い。
【００９２】
（１４）上記実施形態では、特定部、表示制御部、設定部をいずれも同じＣＰＵによって実現する例を示したが、本発明によれば、これらは、互いに別のＣＰＵ、若しくはＡＳＩＣやその他の回路によって構成することができる。
【符号の説明】
【００９３】
１０…プリンタ
１１…ＣＰＵ
１６…印刷部
１７…表示部
２０…コンピュータ
２１…ＣＰＵ
２６…表示部
５１，６１…設定領域
５２…条件領域
５７Ａ〜５７Ｃ…基準軸
６５，６６…部分領域
Ａ１〜Ａ１３…小領域
【図１】
0005447225.tif 000002
【図２】
0005447225.tif 000003
【図３】
0005447225.tif 000004
【図４】
0005447225.tif 000005
【図５】
0005447225.tif 000006
【図６】
0005447225.tif 000007
【図７】
0005447225.tif 000008
【図８】
0005447225.tif 000009